(57)【要約】      （修正有）【課題】防水板を受け部に簡単にロック可能とし、またロック装置と協働するロック専用金物を受け部側に設置不要として構造簡素化を図る止水装置用のロック装置を提供する。【解決手段】ロック装置Ｘは、防水板Ｐに結合可能な固定枠Ｋに上下動可能に支持した縦移動枠７と、防水板Ｐを入口に立て掛けた状態で受け部の左右方向内向きの第１受け面Ｂａに対面可能な第１係合面８ａを有して、縦移動枠に左右動可能に支持した横移動枠８と、縦移動枠７に軸支されて待機位置から第１操作位置を経て第２操作位置まで回動操作可能な主操作レバーＬと、主操作レバーＬの待機位置から第１操作位置への回動操作に連動して、第１係合面８ａを第１受け面Ｂａに圧接させるべく横移動枠８を受け部側に左右動させる第１連動機構Ｃ１と、主操作レバーＬの第１操作位置から第２操作位置への回動操作に連動して、防水板Ｐを押し下げ且つ受け部に防水板Ｐの側端部を圧接させる第２連動機構Ｃ３とを備える。【選択図】図２
0003220078.tif 000002
【実用新案登録請求の範囲】
【請求項１】
建物の入口（Ｅ）の少なくとも一部の通行域（１）を左右より挟むように設けられて上下方向に延びる左右の受け部（Ｂ）と、その左右の受け部（Ｂ）に左右両側端部がそれぞれ支持される防水板（Ｐ）とを備えた止水装置（Ａ）に設けられて、前記防水板（Ｐ）をこれが前記通行域（１）を遮断する遮断位置にロック可能なロック装置において、
前記防水板（Ｐ）に結合可能な固定枠（Ｋ）と、
前記固定枠（Ｋ）に所定範囲で上下動可能に支持される縦移動枠（７）と、
前記防水板（Ｐ）を前記入口（Ｅ）に立て掛けた状態で前記左右の受け部（Ｂ）の左右方向内向きの第１受け面（Ｂａ）に対面可能な第１係合面（８ａ）を有して、前記縦移動枠（７）に所定範囲で左右動可能に支持される横移動枠（８）と、
前記縦移動枠（７）に枢軸（６）を介して基部（Ｌａ）が支持されていて待機位置（Ｌ０）から第１操作位置（Ｌ１）を経て第２操作位置（Ｌ２）まで回動操作可能な主操作レバー（Ｌ）と、
前記主操作レバー（Ｌ）の前記待機位置（Ｌ０）から前記第１操作位置（Ｌ１）への回動操作に連動して、前記第１係合面（８ａ）を前記第１受け面（Ｂａ）に圧接させるべく前記縦移動枠（７）に対し前記横移動枠（８）を前記受け部（Ｂ）側に左右動させる第１連動機構（Ｃ１，Ｃ２）と、
前記主操作レバー（Ｌ）の前記第１操作位置（Ｌ１）から前記第２操作位置（Ｌ２）への回動操作に連動して、前記縦移動枠（７）に対し前記防水板（Ｐ）を押し下げると共に、前記受け部（Ｂ）に前記防水板（Ｐ）の側端部を圧接させるべく該防水板（Ｐ）を前後方向一方側に押圧する第２連動機構（Ｃ３）とを備えることを特徴とする、止水装置用のロック装置。
【請求項２】
前記左右の受け部（Ｂ）が前後方向他方側を向く第２受け面（Ｂｂ）を有する一方、前記横移動枠（８）が、前記防水板（Ｐ）を前記入口（Ｅ）に立て掛けた状態を保持するように前記第２受け面（Ｂｂ）に当接可能な第２係合面（８ｂ）を有しており、
前記第２受け面（Ｂｂ）には、これの前記第２係合面（８ｂ）との当接部とは異なる位置で前記防水板（Ｐ）の側端部が当接可能であることを特徴とする、請求項１に記載の止水装置用のロック装置。
【請求項３】
前記第１連動機構は、前記主操作レバー（Ｌ）の基部（Ｌａ）の一側面（Ｌａｓ）と前記横移動枠（８）との対向面間に設けられ、該主操作レバー（Ｌ）の前記待機位置（Ｌ０）から前記第１操作位置（Ｌ１）への回動に連動して前記横移動枠（８）を前記受け部（Ｂ）側に押し込む第１カム機構（Ｃ１）を含むことを特徴とする、請求項１又は２に記載の止水装置用のロック装置。
【請求項４】
前記第１連動機構は、前記主操作レバー（Ｌ）の基部（Ｌａ）の他側面（Ｌａｓ′）と前記縦移動枠（７）との対向面間に設けられ、該主操作レバー（Ｌ）の前記待機位置（Ｌ０）から前記第１操作位置（Ｌ１）への回動に連動して前記主操作レバー（Ｌ）の基部（Ｌａ）を介して前記横移動枠（８）を前記受け部（Ｂ）側に押し込む第２カム機構（Ｃ２）を含むことを特徴とする、請求項３に記載の止水装置用のロック装置。
【請求項５】
前記第２連動機構は、前記主操作レバー（Ｌ）の基部（Ｌａ）に固設した押圧突起（Ｌａｔ）と、前記主操作レバー（Ｌ）の前記第１操作位置（Ｌ１）から前記第２操作位置（Ｌ２）への回動操作過程で前記押圧突起（Ｌａｔ）と協働してカム作用を発揮し得るよう前記固定枠（Ｋ）に設けられるカム面（Ｋｃ）とを備えた第３カム機構（Ｃ３）で構成されており、
前記カム面（Ｋｃ）は、前記回動操作過程で前記防水板（Ｐ）を押し下げるべく前記押圧突起（Ｌａｔ）の先部が摺動可能に圧接する第１カム面部（４１）と、前記回動操作過程で前記防水板（Ｐ）を前後方向一方側に押圧すべく前記押圧突起（Ｌａｔ）の先部が圧接する第２カム面部（４２）とを有しており、
前記押圧突起（Ｌａｔ）の先部と前記枢軸（６）との距離は、前記主操作レバー（Ｌ）の握り部（Ｌｂ）と前記枢軸（６）との距離よりも短いことを特徴とする、請求項１〜４の何れか１項に記載の止水装置用のロック装置。
【請求項６】
前記回動操作過程で、前記押圧突起（Ｌａｔ）と前記第１カム面部（４１）との係合により前記防水板（Ｐ）を押し下げる作用と、前記押圧突起（Ｌａｔ）と前記第２カム面部（４２）との係合により前記防水板（Ｐ）を前後方向一方側に押圧する作用とのうちの何れか一方の作用が、何れか他方の作用よりも先行して実行されるように、前記カム面（Ｋｃ）における前記第１カム面部（４１）及び前記第２カム面部（４２）の配置が設定されることを特徴とする、請求項５に記載の止水装置用のロック装置。
【請求項７】
前記主操作レバー（Ｌ）を少なくとも前記第１操作位置（Ｌ１）及び前記第２操作位置（Ｌ２）に節度感を以て切替え、保持可能なクリックストップ機構（ＣＳ）と、
前記主操作レバー（Ｌ）を少なくとも前記第１操作位置（Ｌ１）及び前記第２操作位置（Ｌ２）にロック可能なロック機構（５０）と、
前記主操作レバー（Ｌ）が少なくとも前記第１操作位置（Ｌ１）及び前記第２操作位置（Ｌ２）にあるときに、前記ロック機構（５０）をロック状態とアンロック状態とに随時切替え操作可能な切替操作部材（Ｓ）とを備えることを特徴とする、請求項１〜６の何れか１項に記載の止水装置用のロック装置。
【請求項８】
前記切替操作部材は、前記主操作レバー（Ｌ）の基部（Ｌａ）に軸支（５１）されて、該主操作レバー（Ｌ）に沿うアンロック位置（Ｓ２）と、該主操作レバー（Ｌ）に対し起立するロック位置（Ｓ１）との間を揺動操作可能な副操作レバー（Ｓ）で構成され、
前記副操作レバー（Ｓ）は、前記アンロック位置（Ｓ２）で前記ロック機構（５０）をアンロック状態とすると共に、前記ロック位置（Ｓ１）で前記ロック機構（５０）をロック状態とし、前記副操作レバー（Ｓ）と前記主操作レバー（Ｌ）間には、該副操作レバー（Ｓ）を前記ロック位置（Ｓ１）側に常時付勢する付勢部材（５２）が介装されることを特徴とする、請求項７に記載の止水装置用のロック装置。
【請求項９】
前記枢軸（６）は、前記縦移動枠（７）に左右動可能に支持されると共に前記横移動枠（８）に連結され、
前記枢軸（６）と前記縦移動枠（７）間には、該枢軸（６）を介して前記横移動枠（８）を前記受け部（Ｂ）から離間する方向に弾発する戻しばね（４０）が介装されることを特徴とする、請求項１〜８の何れか１項に記載の止水装置用のロック装置。
【考案の詳細な説明】
【技術分野】
【０００１】  本考案は、建物の入口（例えばビル、マンション等の入口や、地下通路出入り用建物の入口等）からの、豪雨や洪水等による水侵入を随時に防止可能な止水装置に設けられる防水板のロック装置に関する。
【背景技術】
【０００２】上記止水装置として、例えば、建物の入口の少なくとも一部の通行域を左右より挟むように設けられて上下方向に各々延びる左右の受け部と、その受け部に左右両側端部が支持されて前記通行域を閉じる防水板と、防水板をこれが入口の通行域を遮断する遮断位置にロックするロック装置とを備えたものは、例えば下記特許文献１に開示されるように既に知られている。
【先行技術文献】
【特許文献】
【０００３】
【特許文献１】特許第３４５８０７７号公報
【考案の概要】
【考案が解決しようとする課題】
【０００４】  特許文献１に開示のロック装置は、防水板と左右の受け部とに跨がって配備されている。従って、ロック装置の主要部（例えば操作レバー等）が防水板に設置されても、左右の受け部には、ロック装置の主要部と協働してロック機構を構成するロック専用金物（例えば、被係止部材、カム部材等）を特別に設ける必要がある。そのため、ロック装置の組付けは、防水板への組付作業と、受け部への組付作業とを別個独立して行う必要があるから、全体として組立作業が面倒でコストが嵩む等の問題がある。
本考案は、上記事情に鑑みてなされたもので、従来装置の上記問題を解決することができる、止水装置用のロック装置を提供することを目的とする。
【課題を解決するための手段】
【０００５】  上記目的を達成するために、本考案は、建物の入口の少なくとも一部の通行域を左右より挟むように設けられて上下方向に延びる左右の受け部と、その左右の受け部に左右両側端部がそれぞれ支持される防水板とを備えた止水装置に設けられて、前記防水板をこれが前記通行域を遮断する遮断位置にロック可能なロック装置において、前記防水板に所定範囲で上下動可能に支持される縦移動枠と、前記防水板を前記入口に立て掛けた状態で前記左右の受け部の左右方向内向きの第１受け面に対面可能な第１係合面を有して、前記縦移動枠に所定範囲で左右動可能に支持される横移動枠と、前記縦移動枠に枢軸を介して基部が支持されていて待機位置から第１操作位置を経て第２操作位置まで回動操作可能な主操作レバーと、前記主操作レバーの前記待機位置から前記第１操作位置への回動操作に連動して、前記第１係合面を前記第１受け面に圧接させるべく前記縦移動枠に対し前記横移動枠を前記受け部側に左右動させる第１連動機構と、前記主操作レバーの前記第１操作位置から前記第２操作位置への回動操作に連動して、前記縦移動枠に対し前記防水板を押し下げると共に、前記受け部に前記防水板の側端部を圧接させるべく該防水板を前後方向一方側に押圧する第２連動機構とを備えることを第１の特徴とする。【０００６】また本考案は、第１の特徴に加えて、前記左右の受け部が前後方向他方側を向く第２受け面を有する一方、前記横移動枠が、前記防水板を前記入口に立て掛けた状態を保持するように前記第２受け面に当接可能な第２係合面を有しており、前記第２受け面には、これの前記第２係合面との当接部とは異なる位置で前記防水板の側端部が当接可能であることを第２の特徴とする。【０００７】また本考案は、第１又は第２の特徴に加えて、前記第１連動機構は、前記主操作レバーの基部の一側面と前記横移動枠との対向面間に設けられ、該主操作レバーの前記待機位置から前記第１操作位置への回動に連動して前記横移動枠を前記受け部側に押し込む第１カム機構を含むことを第３の特徴とする。【０００８】また本考案は、第３の特徴に加えて、前記第１連動機構は、前記主操作レバーの基部の他側面と前記縦移動枠との対向面間に設けられ、該主操作レバーの前記待機位置から前記第１操作位置への回動に連動して前記主操作レバーの基部を介して前記横移動枠を前記受け部側に押し込む第２カム機構を含むことを第４の特徴とする。【０００９】また本考案は、第１〜第４の何れかの特徴に加えて、前記第２連動機構は、前記主操作レバーの基部に固設した押圧突起と、前記主操作レバーの前記第１操作位置から前記第２操作位置への回動操作過程で前記押圧突起と協働してカム作用を発揮し得るよう前記固定枠に設けられるカム面とを備えた第３カム機構で構成されており、前記カム面は、前記回動操作過程で前記防水板を押し下げるべく前記押圧突起の先部が摺動可能に圧接する第１カム面部と、前記回動操作過程で前記防水板を前後方向一方側に押圧すべく前記押圧突起の先部が圧接する第２カム面部とを有しており、前記押圧突起の先部と前記枢軸との距離は、前記主操作レバーの握り部と前記枢軸との距離よりも短いことを第５の特徴としている。【００１０】また本考案���、第５の特徴に加えて、前記回動操作過程で、前記押圧突起と前記第１カム面部との係合により前記防水板を押し下げる作用と、前記押圧突起と前記第２カム面部との係合により前記防水板を前後方向一方側に押圧する作用とのうちの何れか一方の作用が、何れか他方の作用よりも先行して実行されるように、前記カム面における前記第１カム面部及び前記第２カム面部の配置が設定されることを第６の特徴とする。【００１１】また本考案は、第１〜第６の何れかの特徴に加えて、前記主操作レバーを少なくとも前記第１操作位置及び前記第２操作位置に節度感を以て切替え、保持可能なクリックストップ機構と、前記主操作レバーを少なくとも前記第１操作位置及び前記第２操作位置にロック可能なロック機構と、前記主操作レバーが少なくとも前記第１操作位置及び前記第２操作位置にあるときに、前記ロック機構をロック状態とアンロック状態とに随時切替え操作可能な切替操作部材とを備えることを第７の特徴とする。【００１２】また本考案は、第７の特徴に加えて、前記切替操作部材は、前記主操作レバーの基部に軸支されて、該主操作レバーに沿うアンロック位置と、該主操作レバーに対し起立するロック位置との間を揺動操作可能な副操作レバーで構成され、前記副操作レバーは、前記アンロック位置で前記ロック機構をアンロック状態とすると共に、前記ロック位置で前記ロック機構をロック状態とし、前記副操作レバーと前記主操作レバー間には、該副操作レバーを前記ロック位置側に常時付勢する付勢部材が介装されることを第８の特徴とする。
また本考案は、第１〜第８の何れかの特徴に加えて、前記枢軸は、前記縦移動枠に左右動可能に支持されると共に前記横移動枠に連結され、前記枢軸と前記縦移動枠間には、該枢軸を介して前記横移動枠を前記受け部から離間する方向に付勢する戻しばねが介装されることを第９の特徴とする。【００１３】尚、本考案及び本明細書において、「前後」とは、防水板の、建物入口から見て建物内部側を前側とし、建物入口から見て外部側を後側とした場合の前後をいう。
【考案の効果】
【００１４】本考案の第１の特徴によれば、防水板を入口に立て掛けた状態において、主操作レバーが待機位置から第１操作位置まで回動操作される第１操作段階では、その回動操作に連動する第１連動機構が、縦移動枠に対し横移動枠を対応する受け部側に左右動させて横移動枠の第１係合面を受け部の第１受け面に圧接させることにより、横移動枠及び縦移動枠を受け部に固定できる。次いで、主操作レバーが第１操作位置から第２操作位置まで回動操作される第２操作段階では、その回動操作に連動する第２連動機構が、縦移動枠に対し防水板を押し下げて防水板の下端面を入口底面に圧接させ且つ同防水板を前後方向一方側に押圧して防水板の側端部を受け部に圧接させるので、防水板を受け部に簡単、迅速にロックすることができる。しかもロック装置は、これを防水板側に集中配備でき、受け部側には、ロック装置と協働するロック専用金物（例えば被係止部材、カム部材等）を特別に設ける必要はなくなり、全体として構造簡単でコスト節減に寄与することができる。その上、ロック装置は、防水板に結合される固定枠と、固定枠上の縦・横移動枠との組み合わせ構造により、固定枠をベース枠とした組立ユニットとして取り扱えるため、ロック装置の防水板への組付作業や取外し作業を頗る簡単に行うことができ、また防水板への取付前の組立ユニット単独でロック装置の動作確認を容易に行うことができる。【００１５】また第２の特徴によれば、防水板を入口に立て掛けた状態を保持するように受け部の第２受け面に当接可能な第２係合面を横移動枠が有しているので、建物入口への防水板の設置作業に際しては、横移動枠の第２係合面を受け部の第２受け面に当接させることで、入口に対する防水板の位置決めと立て掛けとを簡単な構造で容易且つ的確に行うことができ、作業性が高められる。【００１６】また第３の特徴によれば、第１連動機構は、主操作レバーの基部の一側面と横移動枠との対向面間に設けられて主操作レバーの回動操作に連動して横移動枠を受け部側に押し込む第１カム機構を含むので、主操作レバー基部と横移動枠間に、小型且つ構造簡単な第１連動機構を容易に組込み可能となり、一層のコスト節減に寄与することができる。【００１７】また第４の特徴によれば、第１連動機構は、主操作レバーの基部の他側面と縦移動枠との対向面間に設けられて主操作レバーの回動操作に連動して主操作レバーの基部を介して横移動枠を受け部側に押し込む第２カム機構を更に備えるので、主操作レバーの基部を挟んでその両側に第１，第２カム機構を無理なくコンパクトに組込み可能であり、しかもその両カム機構の併用により、主操作レバーの回動操作量に対する横移動枠の移動量の変換比率を効果的に高めることができる。【００１８】また第５の特徴によれば、第２連動機構を構成する第３カム機構が、主操作レバーの基部に固設した押圧突起と、主操作レバーの第１操作位置から第２操作位置への回動操作過程で押圧突起と協働してカム作用を発揮し得るよう固定枠に設けたカム面とを備えており、そのカム面は、上記回動操作過程で防水板を押し下げるべく押圧突起の先部が摺動可能に圧接する第１カム面部と、同回動操作過程で防水板を前後方向一方側に押圧すべく押圧突起の先部が圧接する第２カム面部とを有するので、主操作レバー基部の押圧突起を、防水板に対する押下げ手段と、前後方向一方側への押圧手段とに兼用でき、それだけ第２連動機構の構造簡素化が図られる。しかも押圧突起の先部と枢軸との距離は、主操作レバーの握り部と枢軸との距離よりも短いので、レバー比の関係で第２連動機構を軽快に操作可能となり、操作性が更に向上する。【００１９】また第６の特徴によれば、上記回動操作過程で、押圧突起と第１カム面部との係合により防水板を押し下げる作用と、押圧突起と第２カム面部との係合により防水板を前後方向一方側に押圧する作用とのうちの何れか一方の作用が、何れか他方の作用よりも先行して実行されるので、第２連動機構のカム作用による防水板の下方押込みと、前後方向一方側への押込みとを各々、軽快に行うことができる。即ち、特許文献１のように防水板に対する下方押込みと前後押込みとを操作レバーの一発回動で同時に行う場合は、各々の操作抵抗を操作レバーが同時に受けて全操作抵抗が大きくなるが、第６の特徴によれば、上記回動操作過程で下方押込みと前後押込みのうちの何れか一方の押込み作用と、何れか他方の押込み作用とが順次になされるため、それだけ操作抵抗の軽減が図られる。【００２０】また第７の特徴によれば、クリックストップ機構により、操作レバーを少なくとも第１，第２操作位置に節度感を以て容易的確に切替操作でき、またロック機構により操作レバーを少なくとも第１，第２操作位置に確実にロックすることができる。しかもロック切替操作部材の切替操作により、ロック機構をロック状態とアンロック状態とに随時に切替えできるから、ロック装置の操作性向上に寄与することができる。【００２１】また第８の特徴によれば、切替操作部材は、主操作レバーの基部に軸支されて、主操作レバーに沿うアンロック位置と、主操作レバーに対し起立するロック位置との間を揺動操作可能な副操作レバーで構成され、副操作レバーと主操作レバー間には、副操作レバーをロック位置側に常時付勢する付勢部材が介装されるので、主操作レバーを握りながら副操作レバーも併せて容易に切替操作することができ、これにより、ロック装置の操作性が更に向上する。【００２２】また第９の特徴によれば、主操作レバーを回動可能に支持するための枢軸が、これと縦移動枠間に設けた戻しばねと協働して、横移動枠を受け部とは反対側の待機位置に付勢する付勢手段に兼用されるため、それだけ構造簡素化が図られ、コスト節減に寄与することができる。
【図面の簡単な説明】
【００２３】
【図１】本考案の一実施形態に係る止水装置を適用した建物入口において、防水板を遮断位置にロックした状態を示す全体斜視図
【図２】図１の２矢視部の拡大斜視図
【図３】ロック装置の要部平面図（図２の３矢視図）とその部分拡大断面図
【図４】図３の４−４線断面図
【図５】主操作レバーが第２操作位置にある状態を示すものであって、（ａ）は、図３の５ａ−５ａ線断面図、また（ｂ）は、図５（ａ）のｂ−ｂ線断面図
【図６】図２に対応したロック装置の全体分解斜視図
【図７】ロック装置の要部（主・副操作レバー及びその周辺部）の分解斜視図
【図８】主操作レバーが待機位置にある状態を示すものであって、特に（ｃ）は、図５（ａ）に対応した断面図、また（ｄ）は、図８（ｃ）のｄ−ｄ線断面図
【図９】主操作レバーが第１操作位置にある状態を示すものであって、（ｅ）は、図５（ａ）に対応した断面図、また（ｆ）は、図９（ｅ）のｆ−ｆ線断面図
【考案を実施するための形態】
【００２４】図１〜図４に示すように、建物（例えばビル、マンション等）の入口Ｅには、その入口Ｅを通して外部の水が侵入するのを防止する止水装置Ａが設置可能となっている。止水装置Ａは、入口Ｅの左右の側壁部Ｅｓにそれぞれ固設される左右一対の受け枠Ｂと、左右の受け枠Ｂに左右両側端部を支持されて入口Ｅを止水するための防水板Ｐと、防水板Ｐを左右の受け枠Ｂに各々ロックするための左右一対のロック装置Ｘとを備える。ロック装置Ｘは、防水板Ｐを、これが入口Ｅの通行域１の少なくとも一部（実施形態では全部）を遮断する遮断位置に随時にロック可能なものである。
左右の受け枠Ｂは、通称「方立」と呼ばれる柱状の枠体であって、入口Ｅの左右両側壁部Ｅｓにおいて上下方向に延び且つ互いに対向配置される。そして、各受け枠Ｂは、これの一部を入口Ｅの中央側に張出すようにして入口Ｅの側壁部Ｅｓに埋設される。受け枠Ｂは、本考案の受け部の一例であり、本実施形態では横断面矩形状の金属枠で構成されるが、他の材料で構成してもよい。或いは、受け枠Ｂの使用に代えて、受け部を入口Ｅの側壁部Ｅｓに直接形成（構築）してもよい。
各々の受け枠Ｂは、左右方向内方側を向く第１受け面Ｂａと、後方側（即ち入口Ｅから見て建物の外方側）を向く第２受け面Ｂｂとを有する。即ち、第１，第２受け面Ｂａ，Ｂｂは、互いに直交して上下方向に延びる帯状の鉛直面である。
防水板Ｐは、入口Ｅの通行域１でその左右幅一杯に延びる矩形の板状に形成される。この防水板Ｐは、図１に示すように入口Ｅを遮断する位置でロック装置Ｘによりロック可能である。
防水板Ｐの左右両側端部の前側面、即ち受け枠Ｂの第２受け面Ｂｂとの対向面には、上下方向に長く延びる左右一対の側部防水ゴムＲｓが固定（例えば接着、貼着等）される。そして、この側部防水ゴムＲｓが第２受け面Ｂｂに密着すると、第２受け面Ｂｂと防水板Ｐの対応する側端部との間がシール可能となる。
また防水板Ｐの下端面には、左右方向に長く延びる底部防水ゴムＲｂが固定（例えば接着、貼着等）される。そして、この底部防水ゴムＲｂが入口Ｅの通行域１の底面Ｅｂに密着すると、底面Ｅｂと防水板Ｐの下端面との間がシール可能となる。尚、入口Ｅの底面Ｅｂは、本実施形態では入口Ｅの底部に埋設されて左右方向に延び且つ左右の受け枠Ｂの下端間を結合する水平枠Ｂ′の上面により形成される。
そして、図１に示すような防水板Ｐの入口Ｅへのセット状態では、入口Ｅが防水板Ｐで塞がれていて、入口Ｅから建物内への水の侵入を防止できるようになっている。尚、防水板Ｐは、平時には通行の妨げとならないよう入口Ｅより撤去されていて、図示しない格納場所に格納される。そして、例えば豪雨や洪水等の緊急事態の発生時にだけ格納場所より取り出されて入口Ｅにセットされる。
【００２５】次に図５〜図９も併せて参照して、ロック装置Ｘの具体例について説明する。ロック装置Ｘは、防水板Ｐの上部に結合、固定される固定枠Ｋと、その固定枠Ｋに所定範囲で上下動可能に支持される縦移動枠７と、縦移動枠７に所定範囲で左右動可能に支持される横移動枠８と、縦移動枠７に枢軸６を介して支持されていて枢軸６回りに回動操作可能な主操作レバーＬとを備える。その主操作レバーＬは、枢軸６が中心部を相対回転可能に貫通する円形状の基部Ｌａと、基部Ｌａの外周部より直線状に長く延び且つ握り部として機能する先部Ｌｂとを一体に有している。そして、主操作レバーＬは、先部Ｌｂが鉛直方向に延びる所定の待機位置Ｌ０（図８参照）から、斜め４５°の方向に延びる所定の第１操作位置Ｌ１（図９参照）を経て、水平方向に延びる所定の第２操作位置Ｌ２（図２〜図５参照）までを任意に回動操作可能である。
固定枠Ｋは、防水板Ｐの、左右両側端近傍の上端面に載置、固定された基枠Ｋｍと、基枠Ｋｍの上面に載置、結合されて前方に延びる支持枠部Ｋａとを備える。基枠Ｋｍは、防水板Ｐの上端部の後側面及び左右外側面にそれぞれ当接し且つ互いに直交する第１，第２垂れ壁部１１，１２を一体に有する。
また基枠Ｋｍは、支持枠部Ｋａの後述する接続壁部１６と共に防水板Ｐの上部に着脱可能に固定されており、その固定手段として、本実施形態では、防水板Ｐの上端部に下部を埋設固定されて基枠Ｋｍの上壁部を貫通するスタッドボルト１３と、これに螺合するナット１４とが用いられる。尚、基枠Ｋｍ及び支持壁部Ｋａは、これらに設けられるスタッドボルト貫通孔が左右方向の長孔となっていて、防水板Ｐに対する固定位置が左右方向に調節可能となっている。
固定枠Ｋの支持枠部Ｋａは、左右に間隔をおいて対向配置されて前後方向に各々延びる一対の側壁部１５，１５と、その両側壁部１５，１５間を一体に結合する平面視で概略Ｔ字状の接続壁部１６とを備えており、接続壁部１６の基部１６ａが基枠Ｋｍの上面に固定（例えば溶接）される。
接続壁部１６の先部１６ｂは、基部１６ａから一段高い段部を介して前方に延び且つ両側壁部１５，１５間に一体的に挟着される。この先部１６ｂの上面は、略水平で前後方向に延びる第１カム面４１を構成する。また先部１６ｂは、第１カム面４１の前端より略鉛直に起立する第２カム面部４２を有しており、この第２カム面部４２は、本実施形態では先部１６ｂ上面に突設されて左右方向に延びる横断面矩形状の棒体１７の側面で構成される。また、支持枠部Ｋａの一対の側壁部１５，１５の先部には、前後方向に長い第１長孔１５ｈ，１５ｈが各々形成される。
一方、縦移動枠７は、各々上下方向に延びる左右の第１，第２側壁７１，７２と、第１，第２側壁７１，７２の前端相互を一体に連結、支持する中間壁７３とを有する。第１，第２側壁７１，７２の下部には、固定枠Ｋの第１長孔１５ｈ，１５ｈと直交する上下方向の第２長孔７１ｈ，７２ｈが形成されており、それら第１長孔１５ｈ，１５ｈ及び第２長孔７１ｈ，７２ｈには、両端を第１，第２側壁７１，７２に貫通、固定した支軸２４の中間部が相対摺動可能に貫通する。この支軸２４は、本実施形態ではボルト状に形成され、これの段付き端部の小径ネジ部にナット２５を螺合、緊締することで第１側壁７１に固定される。
【００２６】而して、固定枠Ｋと縦移動枠７とは、支軸２４が第１長孔１５ｈ，１５ｈ内を摺動する所定範囲内で前後方向に相対摺動可能に相互に連結され、また支軸２４が第２長孔７１ｈ，７２ｈ内を摺動する所定範囲内で上下方向に相対摺動可能に相互に連結される。
また、横移動枠８は、縦移動枠７の中間壁７３前面に摺動可能に重なり合う第１鉛直壁８１と、第１鉛直壁８１の外端に連なり前後方向に延びる第２鉛直壁８２と、第２鉛直壁８２の後端に連なり左右方向外方に延びる第３鉛直壁３３とを一体に有する。第１鉛直壁８１と中間壁７３とは、左右方向に所定範囲内で相対摺動可能に連結されており、その連結手段は、本実施形態では第１鉛直壁８１及び中間壁７３の何れか一方に設けた左右方向の第３長孔８１ｈと、その何れか他方に固着されて第３長孔８１ｈを摺動可能に貫通する支持ピン７３ｐとを備える。
横移動枠８は、防水板Ｐを入口Ｅの通行域１に立て掛けた状態で受け枠Ｂの前記第１受け面Ｂａに接離可能に対面する第１係合面８ａと、その立て掛け状態を保持するように前記第２受け面Ｂｂに当接可能な第２係合面８ｂとを有しており、第１係合面８ａには、滑り止め用のゴムシート８７が貼付される。本実施形態では、第１係合面８ａが、横移動枠８の第２鉛直壁８２の外面で構成され、また第２係合面８ｂが、横移動枠８の第３鉛直壁３３の前面で構成される。ところで、防水板Ｐを閉塞位置にロックするためのロック装置Ｘは、主操作レバーＬの待機位置Ｌ０から第１操作位置Ｌ１への回動操作に連動して、第１係合面８ａを第１受け面Ｂａに圧接させるべく縦移動枠７に対し横移動枠８を受け部Ｂ側に左右動させる第１連動機構（本実施形態では後述する第１，第２カム機構Ｃ１，Ｃ２）と、主操作レバーＬの第１操作位置Ｌ１から第２操作位置Ｌ２への回動操作に連動して、縦移動枠７に対し防水板Ｐを押し下げると共に、第２受け面Ｂｂに防水板Ｐの対応する側端部を圧接させるべく防水板Ｐを前後方向一方側（実施形態では前方側）に押圧する第２連動機構（本実施形態では後述する第３カム機構Ｃ３）とを更に備えている。
上記第１連動機構は、主操作レバーＬの基部Ｌａの一側面Ｌａｓと横移動枠８との対向面間に設けられ、主操作レバーＬの待機位置Ｌ０から第１操作位置Ｌ１への回動に連動して横移動枠８を受け部Ｂ側に押し込む第１カム機構Ｃ１と、主操作レバーＬの基部Ｌａの他側面Ｌａｓ′と縦移動枠７との対向面間に設けられ、主操作レバーＬの待機位置Ｌ０から第１操作位置Ｌ１への回動に連動して主操作レバーＬの基部Ｌａを介して横移動枠８を受け部Ｂ側に押し込む第２カム機構Ｃ２とを備える。
【００２７】次に、第１連動機構の一例である第１，第２カム機構Ｃ１，Ｃ２の構造を説明する。
横移動枠８は、これの第２鉛直壁８２の内側面に短円柱状の支持ボス８２ｂが固定（例えばビス止め）される。一方、縦移動枠７は、これの第１側壁７１に、支持ボス８２ｂを嵌挿させる円形の支持孔７１ａを有しており、また第２側壁７２の内側面には、支持ボス８２ｂと対向する短円柱状の支持ボス７２ｂが固定（例えばビス止め）される。両支持ボス７２ｂ，８２ｂには、主操作レバーＬの枢軸６を挿通、支持する支持孔７２ｂｈ，８２ｂｈがそれぞれ形成される。かくして、枢軸６は、縦移動枠７の第１，第２側壁７１，７２に支持ボス８２ｂ，７２ｂを介して支持される。
枢軸６の一端部６ａは、横移動枠８の第２鉛直壁８２に嵌合、固着（例えばカシメ、溶接等）されており、これにより、枢軸６は縦移動枠７に対して、横移動枠８を介して回り止めされる。その枢軸６の他端部６ｂは、縦移動枠７の第２側壁７２外方に張出しており、その他端部６ｂと第２側壁７２との間に縮設した戻しばね４０により、枢軸６（従って横移動枠８）が受け枠Ｂから離れる方向に弾発、付勢される。
このように本実施形態では、主操作レバーＬを回動可能に支持するための枢軸６が、これと縦移動枠７間に設けた戻しばね４０と協働して、横移動枠８を受け枠Ｂとは反対側の待機位置（図８（ｄ）を参照）に付勢する付勢手段に兼用されるため、それだけ構造簡素化、延いてはコスト節減が図られる。
両支持ボス７２ｂ，８２ｂは、主操作レバーＬの基部Ｌａを挟んで相対向しており、基部Ｌａの両側面Ｌａｓ，Ｌａｓ′には、枢軸６を挟んで並ぶ各一対のカムボールｂ，ｂ′をその一部だけ嵌合、保持するボール保持孔Ｌａｈ，Ｌａｈ′が凹設される。一方、両支持ボス７２ｂ，８２ｂの、基部Ｌａとの各対向面はカム面７２ｂｃ，８２ｂｃとなっており、カム面７２ｂｃ，８２ｂｃには、主操作レバーＬが待機位置Ｌ０（図８参照）にある時にカムボールｂ，ｂ′を落とし込む深い第１係合孔ｈ１，ｈ１′と、主操作レバーＬが第１，第２操作位置Ｌ１，Ｌ２（図９，図５参照）にある時にカムボールｂ，ｂ′が各々係合する浅い第２，第３係合孔ｈ２，ｈ２′；ｈ３，ｈ３′が凹設される。第１係合孔ｈ１，ｈ１′は、これと周方向に隣接する第２係合孔ｈ２，ｈ２′に向かうにつれて徐々に浅くなる斜面部を有する。
而して、主操作レバーＬが待機位置Ｌ０（図８参照）にある時には、カムボールｂ，ｂ′が深い第１係合孔ｈ１に受容されることで、横移動枠８は、戻しばね４０により受け枠Ｂの第１受け面Ｂａから離間した非作動位置に保持される。また主操作レバーＬが戻しばね４０の弾発力に抗して待機位置Ｌ０から第１操作位置Ｌ１（図９参照）まで回動操作されると、カムボールｂ，ｂ′が第１係合孔ｈ１，ｈ１′の斜面部を上ることで第１係合孔ｈ１，ｈ１′から離脱して浅い第２係合孔ｈ２，ｈ２′まで移動し、そこで一旦保持される。そして、この状態では、主操作レバーＬの基部Ｌａの一側面Ｌａｓが同側のカムボールｂを介して横移動枠８を受け枠Ｂ側に押込むと共に、主操作レバーＬの基部Ｌａの他側面Ｌａｓ′が同側のカムボールｂ′を介して受け枠Ｂ側に押込まれるため、その双方の押込力を受けた横移動枠８は、これの第１係合面８ａが受け枠Ｂの第１受け面Ｂａに圧接、固定される。これに伴い、横移動枠８から反力を受ける縦移動枠７も受け枠Ｂに固定される。
尚、上記した横移動枠８及び縦移動枠７の受け枠Ｂに対する圧接、固定状態は、主操作レバーＬが第１操作位置Ｌ１から第２操作位置Ｌ２（図５参照）に回動操作されることでカムボールｂ，ｂ′が第２係合孔ｈ２，ｈ２′を出て第３係合孔ｈ３，ｈ３′に保持される間も、そのまま維持される。
【００２８】本実施形態において、主操作レバーＬの基部Ｌａの一側面Ｌａｓと、同側のカムボールｂと、支持ボス７２ｂのカム面７２ｂｃとは、互いに協働して本考案の第１カム機構Ｃ１を構成しており、また主操作レバーＬの基部Ｌａの他側面Ｌａｓ′と、同側のカムボールｂ′と、支持ボス８２ｂのカム面８２ｂｃとは、互いに協働して本考案の第２カム機構Ｃ２を構成している。次に第２連動機構の一例である第３カム機構Ｃ３について説明する。第３カム機構Ｃ３は、主操作レバーＬの基部Ｌａ外周に一体に突設した押圧突起Ｌａｔと、主操作レバーＬの第１操作位置Ｌ１から第２操作位置Ｌ２への回動操作過程で押圧突起Ｌａｔと協働してカム作用を発揮し得るよう固定枠Ｋ（より具体的には可動枠部Ｋａの接続壁部１６の先部１６ｂ）に設けられるカム面Ｋｃとを備える。
【００２９】カム面Ｋｃは、主操作レバーＬの上記回動操作過程で防水板Ｐを押し下げるべく押圧突起Ｌａｔの先部（実施形態では先端部）が摺動可能に圧接する第１カム面部４１と、主操作レバーＬの上記回動操作過程で防水板Ｐを前方側に押圧すべく押圧突起Ｌａｔの先部（実施形態では先部の前側面）が圧接する第２カム面部４２とを有している。そして、押圧突起Ｌａｔの先部（即ちカム面Ｋｃに対する作用点）と枢軸６との距離は、主操作レバーＬの握り部となる先部Ｌｂの中間部と、枢軸６との距離よりも十分に短く設定される。これにより、レバー比の関係で第２連動機構（即ち押圧突起Ｌａｔ及びカム面Ｋｃよりなる第３カム機構Ｃ３）を軽快に操作可能となり、操作性が更に向上する。
【００３０】ところで本実施形態では、主操作レバーＬの上記回動操作過程で、押圧突起Ｌａｔと第１カム面部４１との係合により防水板Ｐを押し下げる下方押込み作用と、押圧突起Ｌａｔと第２カム面部４２との係合により防水板Ｐを前方側に押圧する前方押込み作用とのうちの一方の作用（本実施形態では下方押込み作用）が、他方の作用（本実施形態では前方押込み作用）よりも先行して実行されるように、カム面Ｋｃにおける第１，第２カム面部４１，４２の配置が設定されている。尚、その作用順序を実施形態とは逆になるように、カム面Ｋｃにおける第１，第２カム面部４１，４２の配置を設定してもよい。
【００３１】更に本実施形態のロック装置Ｘは、主操作レバーＬを少なくとも第１，第２操作位置Ｌ１，Ｌ２に（本実施形態では待機位置Ｌ０でも）節度感を以て切替、保持可能なクリックストップ機構ＣＳと、主操作レバーＬを少なくとも第１，第２操作位置Ｌ１，Ｌ２に（本実施形態では待機位置Ｌ０でも）ロック可能なロック機構５０と、主操作レバーＬが少なくとも第１，第２操作位置Ｌ１，Ｌ２に（本実施形態では待機位置Ｌ０でも）あるときに、ロック機構５０をロック状態とアンロック状態とに随時切替え操作可能な切替操作部材の一例である副操作レバーＳとを備える。
クリックストップ機構ＣＳは、本実施形態では第１，第２カム機構Ｃ１，Ｃ２が兼用される。即ち、主操作レバーＬの基部Ｌａの一側面Ｌａｓ及び他側面Ｌａｓ′と、カムボールｂ，ｂ′と、支持ボス７２ｂ，８２ｂのカム面７２ｂｃ，８２ｂｃにおける第１〜第３係合孔ｈ１〜ｈ３；ｈ１′〜ｈ３′と、戻しばね４０とは、互いに協働して本考案のクリックストップ機構ＣＳとしても機能するため、装置の構造簡素化が図られる。しかもこのクリックストップ機構ＣＳにより、主操作レバーＬを各位置Ｌ０，Ｌ１，Ｌ２に節度感を以て容易且つ的確に切替操作できる。
【００３２】また副操作レバーＳは、本実施形態では、主操作レバーＬの基部Ｌａに揺動可能に軸支５１される。そして、その軸支部５１回りに、副操作レバーＳは、主操作レバーＬに沿うアンロック位置Ｓ２と、主操作レバーＬに対し斜めに起立するロック位置Ｓ１との間を任意に揺動操作可能である。また、副操作レバーＳと主操作レバーＬ間には、副操作レバーＳをロック位置Ｓ１側に常時付勢する戻しばね５２が縮設される。これにより、主操作レバーＬの握り部となる先部Ｌｂを握りながら副操作レバーＳも併せて容易にレバー操作できるため、ロック装置Ｘの操作性が向上する。
【００３３】主操作レバーＬには、アンロック位置Ｓ２の副操作レバーＳを格納可能な格納凹部Ｌｉが設けられる。そして、主操作レバーＬの先部Ｌｂ（握り部）を手で掴んだ操作者が副操作レバーＳをも掴んで格納凹部Ｌｉまで押し込むことで、ロック機構５０に対するアンロック操作が可能となる。尚、図７に明示した実施形態のように主操作レバーＬを、相互に重ね合わせて結合される一対のレバー半体より分割構成した場合には、その分割面間に格納凹部Ｌｉを容易に形成可能である。
【００３４】またロック機構５０は、枢軸６の、副操作レバーＳの基部Ｓａとの対向周面に周方向に並んで凹設した第１〜第３凹溝６ｈ１〜６ｈ３と、これら凹溝６ｈ１〜６ｈ３に選択的に係脱可能なロックボール５３と、副操作レバーＳの基部Ｓａ外周に設けられてロックボール５３を受容可能なボール受け溝５４と、そのボール受け溝５４と隣接するようにして副操作レバーＳの基部Ｓａ外周に設けられるボール押圧面５５とを備える。
而して、ボール受け溝５４は、例えば図５（ａ）の部分拡大図に例示したように副操作レバーＳがアンロック位置Ｓ２にあるときに、ロックボール５３を受容することでロックボール５３の凹溝６ｈ１〜６ｈ３からの離脱を許容し、このときは、ロック機構５０がアンロック状態となって、主操作レバーＬが何れの操作位置Ｌ０，Ｌ１，Ｌ２にも回動操作可能である。
【００３５】一方、ボール押圧面５５は、副操作レバーＳがロック位置Ｓ１にあるときに、何れかの凹溝６ｈ１〜６ｈ３と係合状態にあるロックボール５３が凹溝６ｈ１〜６ｈ３から離脱しない（即ち係合解除されない）ようにロックボール５３を凹溝６ｈ１〜６ｈ３側に押圧する。このときは、ロック機構５０がロック状態となるため、例えばロックボール５３が第１凹溝６ｈ１に在る場合（図８参照）には主操作レバーＬが待機位置Ｌ０にロックされ、またロックボール５３が第２凹溝６ｈ２に在る場合（図９参照）には主操作レバーＬが第１操作位置Ｌ１にロックされ、またロックボール５３が第３凹溝６ｈ３に在る場合（図５参照）には主操作レバーＬが第２操作位置Ｌ２にロックされる。
【００３６】上記したロック機構５０によれば、主操作レバーＬを各操作位置Ｌ０，Ｌ１，Ｌ２に確実にロックすることができる。しかも切替操作部材としての副操作レバーＳの切替操作により、ロック機構５０をロック状態とアンロック状態とに随時に容易に切替えできるから、ロック装置Ｘの操作性が良好である。
次に第１実施形態の作用を説明する。建物の入口Ｅは、平時には通行の妨げとならないよう、防水板Ｐが撤去された状態に置かれる。
例えば、集中豪雨や洪水等で外の大量の水が入口Ｅから建物内に侵入する虞れが生じた場合には、防水板Ｐを、図示しない格納場所より取出し、入口Ｅに図１〜図５に示すように設置、固定することで、入口Ｅの通行域１を防水板Ｐで遮断する。これにより、大量の水が入口Ｅから建物内に侵入するのを未然に防止できる。
【００３７】防水板Ｐの上端部には、その左右両端近傍部において、本実施形態の左右一対のロック装置Ｌ，Ｌ（より具体的には固定枠Ｋ）が予め取付、固定されている。この場合、左右一対のロック装置Ｌ，Ｌは、入口Ｅの通行域１を左右に二等分する仮想鉛直面に対し、左右対称な形状・構造とされるが、本明細書及び図面に記載した各部の参照符号は、便宜上、左右で同じとする。
防水板Ｐの設置に際しては、先ず、入口Ｅの両側壁部Ｅｓの受け枠Ｂに防水板Ｐの左右両側端部を後方側より近づけて立て掛ける。この場合、図８に示すようにロック装置Ｘの横移動枠８（特に第３鉛直壁８３）の第２係合面８ｂを受け枠Ｂの後向きの第２受け面Ｂｂに当接させることで、防水板Ｐを入口Ｅに立て掛けた状態に容易に保持することができる。尚、必要があれば、立て掛け姿勢をより安定させるために、作業者が防水板Ｐに手を軽く添えて支えるようにしてもよい。
防水板Ｐの上記した立て掛け状態において、受け枠Ｂの第２受け面Ｂｂには、これと第２係合面８ｂとの当接部とは異なる位置（下方位置）で、防水板Ｐの前側面の側端部（従って側部防水ゴムＲｓ）が対向近接している。而して、入口Ｅへの防水板Ｐの設置作業に際して、横移動枠８の第２係合面８ｂを受け枠Ｂの第２受け面Ｂｂに当接させることで、入口Ｅに対する防水板Ｐの位置決めと立て掛けとを簡単な構造で容易且つ的確に行えるため、作業性が高められる。次に、防水板Ｐを上記の如く入口Ｅに立て掛けた状態で、左右一方側のロック装置Ｘにおいて、副操作レバーＳをアンロック位置Ｓ２に一時的に揺動操作してロック機構５０をアンロック状態に切換えつつ、主操作レバーＬを待機位置Ｌ０（図８）から第１操作位置Ｌ１（図９）まで回動操作する。その回動操作後に副操作レバーＳをロック位置Ｓ１に戻し揺動させてロック機構５０をロック状態に戻すと、主操作レバーＬを第１操作位置Ｌ１にロック保持できる。そして、このときの主操作レバーＬの回動操作に連動して、第１連動機構（即ち第１，第２カム機構Ｃ１，Ｃ２）が縦移動枠７に対し横移動枠８を受け枠Ｂ側に左右動させることにより、横移動枠８の第２係合面８ｂを受け枠Ｂの第２受け面Ｂｂに圧接させる。かくして、横移動枠８が受け枠Ｂに圧接、固定された状態となる。
【００３８】次いで、左右他方側のロック装置Ｘにおいても、同様のレバー操作を行うことで、左右他方側でも、横移動枠８が受け枠Ｂに圧接、固定された状態となる。そして、このようにして左右のロック装置Ｘの横移動枠８が対応する左右の受け枠Ｂの第２受け面Ｂｂに左右方向に突っ張り作用を発揮することで、左右の横移動枠８（従って縦移動枠７）が左右の受け枠Ｂに強固に固定される。
しかる後に、左右一方側のロック装置Ｘにおいて、副操作レバーＳをアンロック位置Ｓ２に一時的に揺動操作してロック機構５０をアンロック状態に切換えつつ、主操作レバーＬを第１操作位置Ｌ１（図９）から第２操作位置Ｌ２（図５）まで回動操作する。その回動操作後に副操作レバーＳをロック位置Ｓ１に戻し揺動させてロック機構５０をロック状態に戻すと、主操作レバーＬを第２操作位置Ｌ２にロック保持できる。そして、このときの主操作レバーＬの回動操作に連動して、第２連動機構（即ち第３カム機構Ｃ３）が縦移動枠７に対し防水板Ｐを押し下げると共に、受け枠Ｂの第２受け面Ｂｂに防水板Ｐの対応する側端部を圧接させるべく防水板Ｐを前方側に押圧する。
【００３９】即ち、第３カム機構Ｃ３においては、主操作レバーＬの基部Ｌａの押圧突起Ｌａｔと、固定枠Ｋの第１カム面部４１との係合により防水板Ｐを押し下げる下方押込み作用と、押圧突起Ｌａｔと第２カム面部４２との係合により防水板Ｐを前方側に押圧する前方押込み作用とが順次に実行される。これにより、第３カム機構Ｃ３による防水板Ｐの下方押込みと前方押込みとを順次に、従って各々軽快に行うことができ、それだけ操作抵抗の軽減が図られる。
そして、上記第３カム機構Ｃ３による防水板Ｐの下方押込み作用によれば、防水板Ｐの下端面に固定の底部防水ゴムＲｂが入口Ｅの底面Ｅｂに圧接して、防水板Ｐ下端からの水浸入が阻止され、一方、防水板Ｐの前方押込み作用によれば、防水板Ｐの前側面の側端部に固定の側部防水ゴムＲｓが受け枠Ｂの第２受け面Ｂｂに圧接して、防水板Ｐの側端部からの水浸入が阻止される。
【００４０】次いで、左右他方側のロック装置Ｘにおいても、同様のレバー操作を行うことで、左右他方側でも、第３カム機構Ｃ３による防水板Ｐの下方押込みと、前方押込みとを順次に、従って各々軽快に行うことができる。そして、このようにして左右何れのロック装置Ｘも第３カム機構Ｃ３が防水板Ｐの下方押込み作用と前方押込み作用とを各々発揮するため、防水板Ｐに対し下方押込みと前方押込みが各々、左右でバランスよく実行される。
かくして、左右のロック装置Ｘにより、入口Ｅを閉塞する防水板Ｐの左右両側端部が左右の受け枠Ｂにそれぞれロックされる。尚、防水板Ｐを入口Ｅより取り外すべくロック装置Ｘのロックを解除する場合には、上記とは逆の手順で行えばよい。
ところで第３カム機構Ｃ３の作動による防水板Ｐの下方押込み作用と前方押込み作用とは、それらの作用部位が防水板Ｐの中心より前方側及び上方側に各々偏位した位置にある。従って、この偏位に起因して、第３カム機構Ｃ３の作動時に防水板Ｐには前方へ倒れようとするモーメントが働くが、このモーメントによる防水板Ｐの倒れ動作は、倒れ角度が僅少である上、底部防水ゴムＲｂ及び側部防水ゴムＲｓの弾性変形で無理なく許容される。また防水板Ｐの上記倒れ動作に伴い、側部防水ゴムＲｓの弾性変形量（従ってシール機能）は、下端に近づくにつれて多少低下するが、防水板Ｐに対しては、豪雨時等に外部からの水の水圧が作用して側部防水ゴムＲｓの下部を受け枠Ｂの第２受け面Ｂｂに強く押圧する。そのため、上記作用部位の偏位に因るシール機能の低下が実用上、問題となる虞れはない。
【００４１】以上説明したように、本実施形態の止水装置Ａによれば、主操作レバーＬが待機位置Ｌ０から第１操作位置Ｌ１まで回動操作される第１操作段階では、その回動操作に連動する第１連動機構（即ち第１，第２カム機構Ｃ１，Ｃ２）が、縦移動枠７に対し横移動枠８を対応する受け枠Ｂ側に左右動させて横移動枠８の第１係合面８ａを受け枠Ｂの第１受け面Ｂａに圧接させることにより、横移動枠８及び縦移動枠７を受け枠Ｂに強固に固定できる。次いで、主操作レバーＬが第１操作位置Ｌ１から第２操作位置Ｌ２まで回動操作される第２操作段階では、その回動操作に連動する第２連動機構（即ち第３カム機構Ｃ３）が、縦移動枠７に対し防水板Ｐを押し下げて防水板Ｐの下端面を入口Ｅの底面Ｅｂに圧接させ且つ同防水板Ｐを前方側に押圧して防水板Ｐの側端部を受け枠Ｂの第２受け面Ｂｂに圧接させるので、防水板Ｐの左右の側端部を左右の受け枠Ｂに簡単、迅速にロックすることができる。
【００４２】しかもロック装置Ｘは、これを防水板Ｐ側に集中配備でき、受け枠Ｂ側には、ロック装置Ｘと協働するロック専用金物（例えば被係止部材、カム部材等）を特別に設ける必要はなくなることから、全体として構造簡単でコスト節減が図られる。その上、ロック装置Ｘは、防水板Ｐ上部に結合される固定枠Ｋと、固定枠Ｋ上の縦・横移動枠７，８との組み合わせ構造により、固定枠Ｋをベース枠とした組立ユニットとして一纏めに取り扱い可能であるため、ロック装置Ｘの防水板Ｐへの組付作業や取外し作業を頗る簡単に行うことができる。しかも防水板Ｐへの取付前の組立ユニット単独で、ロック装置Ｘの動作確認を容易に行うことができる。
また第１連動機構に含まれる第１カム機構Ｃ１は、主操作レバーＬの基部Ｌａの一側面Ｌａｓと横移動枠８（実施形態では支持ボス８２ｂ）との対向面間に設けられ、主操作レバーＬの待機位置Ｌ０から第１操作位置Ｌ１への回動操作に連動して横移動枠８を受け枠Ｂ側に押し込むカム作用を発揮する。これにより、主操作レバーＬの基部Ｌａと横移動枠８間に、小型且つ構造簡単に組込み可能であり、コスト節減が図られる。
【００４３】また第１連動機構は、主操作レバーＬの基部Ｌａの他側面Ｌａｓ′と縦移動枠７（実施形態では支持ボス７２ｂ）との対向面間に設けられ、主操作レバーＬの待機位置Ｌ０から第１操作位置Ｌ１への回動操作に連動して主操作レバーＬの基部Ｌａを介して横移動枠８を受け枠Ｂ側に押し込む第２カム機構Ｃ２も備えている。これにより、主操作レバーＬの基部Ｌａを挟んでその両側に第１，第２カム機構Ｃ１，Ｃ２を無理なくコンパクトに組込み可能であり、しかもその両カム機構Ｃ１，Ｃ２の併用により、主操作レバーＬの回動操作量に対する横移動枠８の移動量の変換比率が高められる。
【００４４】また、第２連動機構としての第３カム機構Ｃ３は、主操作レバーＬの基部Ｌａに固設した押圧突起Ｌａｔと、主操作レバーＬの第１操作位置Ｌ１から第２操作位置Ｌ２への回動操作過程で押圧突起Ｌａｔと協働してカム作用を発揮し得るよう固定枠Ｋに設けられるカム面Ｋｃとを備えており、このカム面Ｋｃは、上記回動操作過程で防水板Ｐを押し下げるべく押圧突起Ｌａｔの先部が摺動可能に圧接する第１カム面部４１と、同回動操作過程で防水板Ｐを前方側に押圧すべく押圧突起Ｌａｔの先部が圧接する第２カム面部４２とを有している。これにより、主操作レバーＬの基部Ｌａに設けた共通１個の押圧突起Ｌａｔを、防水板Ｐに対する押下げ手段と、前方側への押圧手段とに兼用できるため、構造簡素化が図られる。
以上、本考案の実施形態について説明したが、本考案は、前記実施形態に限定されるものではなく、その要旨を逸脱しない範囲で種々の設計変更が可能である。
例えば、前記実施形態では、操作レバーＬを待機位置Ｌ０から第１操作位置Ｌ１を経て第２操作位置Ｌ２まで９０度回動操作させるものを示したが、操作レバーＬの最大回動角は、実施形態に限定されず、本考案の所期の作用効果が得られる範囲で、例えば９０度以下、又は以上の任意の適宜角度にも設定可能である。
【００４５】また前記実施形態では、防水板Ｐ下端の底部防水ゴムＲｂを圧接させる入口Ｅの底面Ｅｂを、入口Ｅ底部に埋設した水平枠Ｂ′で形成したものを示したが、入口Ｅの底面を入口Ｅ底部に直接形成してもよい。
また前記実施形態では、把手のない防水板Ｐを例示したが、防水板Ｐには、必要に応じて持ち運びに便利な把手を付設してもよい。また前記実施形態では、防水板Ｐを分割不能な一体物としたものを例示したが、防水板Ｐを複数の防水板要素より分割構成して、それら防水板要素の相互間を着脱可能に又は着脱不能に結合して防水板Ｐを構成するようにしてもよい。
また前記実施形態では、ロック装置Ｘの横移動枠８の第２係合面８ｂが係合される受け枠Ｂの第２受け面Ｂｂを、受け枠Ｂの後側面で構成したものを示したが、本考案では、第２受け面Ｂｂを受け枠Ｂの前側面で構成するようにしてもよい。この場合は、第３カム機構Ｃ３における第２カム面４２も前向きに形成され、この前向きの第２カム面４２を押圧突起Ｌａｔが後方側に押し込む構造とすればよい。
【００４６】また前記実施形態では、左右の受け部としての受け枠Ｂを、建物の入口Ｅの全部の通行域１を左右より挟む左右両側壁部Ｅｓにそれぞれ設けたものを示したが、入口Ｅの左右幅が防水板Ｐよりも幅広の（即ち左右方向に長い）場合は、入口Ｅの左右中間部の底面Ｅｂに受け枠（図示せず）を側壁部Ｅｓより離間独立した柱状に立設して、防水板Ｐの対応する側端部の支持に用いるようにしてもよい。即ち、左右の受け部としての受け枠Ｂは、入口Ｅの少なくとも一部の通行域１を左右より挟むように設けられて上下方向に延びるものであればよい。
【符号の説明】
【００４７】Ａ・・・・・止水装置
Ｂ・・・・・受け枠（受け部）
Ｂａ，Ｂｂ・・第１，第２受け面
Ｃ１，Ｃ２・・第１，第２カム機構（第１連動機構）
Ｃ３・・・・・第３カム機構（第２連動機構）
ＣＳ・・・・クリックストップ機構
Ｅ・・・・・入口
Ｋ・・・・・固定枠
Ｋｃ・・・・カム面
Ｌ・・・・・主操作レバー
Ｌ０／Ｌ１／Ｌ２・・待機位置／第１操作位置／第２操作位置
Ｌａ・・・・基部
Ｌａｓ，Ｌａｓ′・・基部の一側面，他側面
Ｌａｔ・・・押圧突起
Ｌｂ・・・・先部（握り部）
Ｐ・・・・・防水板
Ｓ・・・・・副操作レバー（切替操作部材）
Ｓ１／Ｓ２・・ロック位置／アンロック位置
Ｘ・・・・・ロック装置
１・・・・・通行域
６・・・・・枢軸
７・・・・・縦移動枠
８・・・・・横移動枠
８ａ，８ｂ・・第１，第２係合面
４０・・・・戻しばね
４１，４２・・第１，第２カム面部
５０・・・・ロック機構
５２・・・・戻しばね（付勢部材）
【図１】
0003220078.tif 000003
【図２】
0003220078.tif 000004
【図３】
0003220078.tif 000005
【図４】
0003220078.tif 000006
【図５】
0003220078.tif 000007
【図６】
0003220078.tif 000008
【図７】
0003220078.tif 000009
【図８】
0003220078.tif 000010
【図９】
0003220078.tif 000011